(57)【要約】【課題】端子金具とフィルタ素子を接続するための中継端子の種類数を削減する。【解決手段】フィルタ素子内蔵型コネクタＣａは、合成樹脂製のハウジング１０と、ハウジング１０に取り付けられた端子金具２０Ｌ，２０Ｒと、フィルタ素子として機能するコイル３９と、コイル３９よりも線径の細いリード線４３Ｆを有し、フィルタ素子として機能するコンデンサ４１と、コイル３９に接続可能な第１接続部５１Ｆとリード線４３Ｆに接続可能な第２接続部５１Ｓとが形成された中継端子５０と、端子金具２０Ｌ，２０Ｒに形成され、第１接続部５１Ｆと接続可能な第１端子部２２と、端子金具２０Ｌ，２０Ｒに形成され、第２接続部５１Ｓと接続可能な第２端子部２３とを備えている。【選択図】図１
2015088305.tif 000002
【特許請求の範囲】
【請求項１】
合成樹脂製のハウジングと、
前記ハウジングに取り付けられた端子金具と、
フィルタ素子として機能するコイルと、
前記コイルよりも線径の細いリード線を有し、フィルタ素子として機能するコンデンサと、
前記コイルに接続可能な第１接続部と前記リード線に接続可能な第２接続部とが形成された中継端子と、
前記端子金具に形成され、前記第１接続部と接続可能な第１端子部と、
前記端子金具に形成され、前記第２接続部と接続可能な第２端子部とを備えていることを特徴とするフィルタ素子内蔵型コネクタ。
【請求項２】
２つの前記中継端子が、一方の前記中継端子の第１接続部と他方の前記中継端子の第２接続部とを並列させるように組み付け可能であることを特徴とする請求項１記載のフィルタ素子内蔵型コネクタ。
【請求項３】
前記中継端子には、２つの前記第１接続部と２つの第２接続部が形成されていることを特徴とする請求項１記載のフィルタ素子内蔵型コネクタ。
【発明の詳細な説明】
【技術分野】
【０００１】
本発明は、フィルタ素子内蔵型コネクタに関するものである。
【背景技術】
【０００２】
特許文献１には、合成樹脂製のハウジングに、ワイヤーハーネスに接続される端子金具と、アース部材を取り付け、ハウジング内に収容したコイルの端部を端子金具に接続し、ハウジング内に収容したコンデンサのリード線を端子金具に接続したフィルタ素子内蔵型コネクタが開示されている。
【先行技術文献】
【特許文献】
【０００３】
【特許文献１】特許第４５２４３１８号公報
【発明の概要】
【発明が解決しようとする課題】
【０００４】
この種のコネクタにおいて、コイルとコンデンサのリード線を端子金具に接続する手段としては、通常、半田による方法が用いられる。特許文献１に記載されたコネクタでは、端子金具が、ハウジングを構成する壁部の近傍に配置されている。そのため、半田を溶かすための熱によって、合成樹脂製の壁部が変形することが懸念される。
【０００５】
壁部の熱変形を回避するためには、コイルと端子金具との接続、及びリード線と端子金具との接続を、中継端子を用いて行うことが考えられる。しかし、コイルの線径とリード線の線径は、大きく異なるため、夫々、専用の中継端子が必要となり、部品の種類数が多くなる。
本発明は上記のような事情に基づいて完成されたものであって、端子金具とフィルタ素子を接続するための中継端子の種類数を削減することを目的とする。
【課題を解決するための手段】
【０００６】
本発明のフィルタ素子内蔵型コネクタは、
合成樹脂製のハウジングと、
前記ハウジングに取り付けられた端子金具と、
フィルタ素子として機能するコイルと、
前記コイルよりも線径の細いリード線を有し、フィルタ素子として機能するコンデンサと、
前記コイルに接続可能な第１接続部と前記リード線に接続可能な第２接続部とが形成された中継端子と、
前記端子金具に形成され、前記第１接続部と接続可能な第１端子部と、
前記端子金具に形成され、前記第２接続部と接続可能な第２端子部とを備えているところに特徴を有する。
【発明の効果】
【０００７】
中継端子の第１接続部をコイルに接続し、その中継端子の第２接続部を端子金具の第２端子部に接続すれば、コイルが端子金具に接続される。中継端子の第２接続部をリード線に接続し、その中継端子の第１接続部を端子金具の第１端子部に接続すれば、リード線が端子金具に接続される。このように、中継端子は、端子金具とコイルを接続する機能と、端子金具とリード線を接続する機能とを兼ね備えているので、中継端子は単一種類で済ますことが可能である。
【図面の簡単な説明】
【０００８】
【図１】実施例１の平面図
【図２】側断面図
【図３】一部切欠部分拡大平面図
【図４】図３のＡ−Ａ線断面図
【図５】図３のＢ−Ｂ線断面図
【図６】実施例２の一部切欠部分拡大平面図
【図７】図６のＣ−Ｃ線断面図
【図８】図６のＤ−Ｄ線断面図
【発明を実施するための形態】
【０００９】
（１）本発明のフィルタ素子内蔵型コネクタは、２つの前記中継端子が、一方の前記中継端子の第１接続部と他方の前記中継端子の第２接続部とを並列させるように組み付け可能であってもよい。この構成によれば、第１接続部を第１端子部に接続する作業と、第２接続部を第２端子部に接続する作業を、ワンアクションで行うことができる。
【００１０】
（２）本発明のフィルタ素子内蔵型コネクタは、前記中継端子には、２つの前記第１接続部と２つの第２接続部が形成されていてもよい。この構成によれば、１つの中継端子だけで、端子金具とコイルの接続と、端子金具とリード線の接続を行うことができる。
【００１１】
＜実施例１＞
以下、本発明を具体化した実施例１を図１〜図５を参照して説明する。本実施例１のフィルタ素子内蔵型コネクタＣａは、ハウジング１０と、一対の端子金具２０Ｌ，２０Ｒと、フィルタユニット３０と、二対の中継端子５０とを備えて構成されている。尚、以下の説明において、上下の方向については図２，４，５に表れる向きを基準とし、前後方向については図１〜５における左側を前側と定義する。
【００１２】
＜ハウジング１０＞
ハウジング１０は、合成樹脂製のハウジング本体１１と、合成樹脂製のカバー１８とを組み付けて構成されている。ハウジング本体１１は、インサート成形により一対の端子金具２０Ｌ，２０Ｒと一体化されている。ハウジング本体１１は、箱部１２とフード部１３とを有する。箱部１２は、前壁部１４、左右両側壁部１５、底壁部１６とから構成されており、上面と後面が開放されている。底壁部１６の後端縁部には、上方へ段差状に立ち上がる左右方向に細長い位置決めリブ１７が形成されている。フード部１３は、前壁部１４の外周縁から前方へ角筒状に延出した形態である。カバー１８は、側面視が略Ｌ字形をなし、箱部１２の上面と後面の開口を塞ぐように組み付けられる。
【００１３】
＜端子金具２０Ｌ，２０Ｒ＞
一対の端子金具２０Ｌ，２０Ｒは、左右に並列するように配されている。両端子金具２０Ｌ，２０Ｒは、ハウジング１０の前壁部１４を前後に貫通した状態でインサート成形によりハウジング１０（箱部１２）と一体化されている。一対の端子金具２０Ｌ，２０Ｒは左右対称な形態である。したがって、形態等の説明は左側の端子金具２０Ｌのみについて行い、右側の端子金具２０Ｒの説明は省略する。
【００１４】
端子金具２０Ｌの前端側部分は、前壁部１４から前方（フード部１３内に）へ片持ち状に延出したタブ状接触部２１となっている。タブ状接触部２１は、ノイズ除去対象となる回路（図示省略）に接触するようになっている。端子金具２０Ｌの後端側部分は、二股状に分かれた第１端子部２２と第２端子部２３とで構成されている。両端子部２２，２３は、箱部１２内に収容され、互いに平行に後方へ片持ち状に延出した形態である。第１端子部２２は、タブ状接触部２１に対しほぼ一直線状に並ぶように配されている。第２端子部２３は、第１端子部２２の左側（幅方向における外側）に位置している。第２端子部２３は、第１端子部２２よりも厚さ寸法（上下寸法）が小さく設定されている。
【００１５】
＜フィルタユニット３０＞
フィルタユニット３０は、アース部材３１と、絶縁性の合成樹脂からなるスペーサ３７と、コイル３９と、左右一対のコンデンサ４１とを備えて構成されている。後述するように、フィルタユニット３０の組み立ては、ハウジング１０の外部で行われる。組み立てが完了したフィルタユニット３０は、中継端子５０とともにハウジング１０に取り付けられる。
【００１６】
＜アース部材３１＞
アース部材３１は、金属板材を所定形状に打ち抜いて曲げ加工等を施して成形されている。アース部材３１は、板状本体部３２と、屈曲部３３と、接地部３４とを備えて構成されている。板状本体部３２は、全体として平面視方形の平板状をなしている。板状本体部３２には、その前端縁から上方へ僅かに立ち上がる係止リブが形成されている。屈曲部３３は、板状本体部３２の後端縁に連なっている。屈曲部３３の下面には、左右方向に延びた位置決め溝３５が形成されている。
【００１７】
接地部３４は、屈曲部３３の後端縁に連なり、後壁部から後方へ延出している。接地部３４は、板状本体部３２に対し段差状に少し低く、且つ板状本体部３２と平行をなしている。フィルタユニット３０（アース部材３１）をハウジング１０に組み付けた状態では、接地部３４の下面がハウジング１０（ハウジング本体１１）の底壁部１６の下面に対して面一状に連なるようになっている。接地部３４の平面視形状は略方形である。接地部３４には、その板厚方向（上下方向）に貫通した形態の円形の取付孔３６が形成されている。フィルタ素子内蔵型コネクタＣａは、アース部材３１の接地部３４を自動車のボディ等の接地面（図示省略）に当接させ、取付孔３６に貫通したボルト（図示省略）を接地面にねじ込むことにより、取り付けられるようになっている。
【００１８】
＜スペーサ３７＞
スペーサ３７は、合成樹脂製、つまり、絶縁性材料からなる。スペーサ３７は、平面視が略方形であって、所定の高さ寸法を有するブロック状をなす。スペーサ３７は、インサート成形により板状本体部３２の前端側領域と一体化されている。スペーサ３７の下面と板状本体部３２の下面は、面一状に連なっている。スペーサ３７には、その前後両端縁部から上方へ立ち上がる前後一対の挟持部３８が形成されている。板状本体部３２の上面のうちスペーサ３７よりも後方の領域は、コンデンサ４１の後側のリード線４３Ｒを半田４４により接続するための接続領域として露出している。
【００１９】
＜コイル３９＞
コイル３９は、円形断面の金属線材からなり、軸線を前後方向に向けた円柱形のコア４０の外周に螺旋状に巻き付けられて構成されている。コイル３９を構成する金属線材の外径は、端子金具２０Ｌ，２０Ｒの第１端子部２２の厚さ寸法（上下寸法）とほぼ同じ寸法である。コイル３９は、スペーサ３７の上面に載置され、コア４０は、前後一対の挟持部３８に間で挟み付けられている。これにより、コイル３９とコア４０がスペーサ３７に対して移動規制された状態に支持されている。
【００２０】
コイル３９の下方にはアース部材３１の板状本体部３２が配置されているが、両者の間は絶縁性のスペーサ３７によって電気的に絶縁されている。コイル３９の両端部は、中継端子５０を介して一対の端子金具２０Ｌ，２０Ｒに接続され、両端子金具２０Ｌ，２０Ｒに接続された回路におけるノイズを除去又は低減するノイズフィルタとして機能を発揮するようになっている。
【００２１】
＜コンデンサ４１＞
一対のコンデンサ４１は、コイル３９を左右両側から挟むように配されている。一対のコンデンサ４１は、左右対称な形態であるため、形態等の説明は左側のコンデンサ４１のみについて行い、右側のコンデンサ４１の説明は省略する。コンデンサ４１は、コンデンサ本体４２と、コンデンサ本体４２から延出する前後一対のリード線４３Ｆ，４３Ｒとを備えて構成されている。コンデンサ本体４２は、側面視が横長の略方形をなし、幅寸法は、前後寸法及び上下寸法に比べて小さい。コンデンサ本体４２は、スペーサ３７の上面に載置されている。
【００２２】
一対のリード線４３Ｆ，４３Ｒは、いずれも、コンデンサ本体４２の上面における前端部と後端部から上向きに導出されている。リード線４３Ｆ，４３Ｒは、コイル３９よりも外径寸法の小さい円形断面の線材からなる。リード線４３Ｆ，４３Ｒの外径寸法は、端子金具２０Ｌ，２０Ｒの第２端子部２３の厚さ寸法（上下寸法）とほぼ同じ寸法である。上向きに導出された前側のリード線４３Ｆは、下向きに転向するように屈曲され、更に、先端部が前方を向くように曲げられている。この前側のリード線４３Ｆの先端部は、中継端子５０を介して端子金具２０Ｌ，２０Ｒに接続され、両端子金具２０Ｌ，２０Ｒに接続された回路におけるノイズを除去又は低減するノイズフィルタとして機能を発揮するようになっている。上向きに導出された後側のリード線４３Ｒは、下向きに転向するように屈曲され、その先端部は、アース部材３１の板状本体部３２の上面に半田４４により導通可能に固着されている。
【００２３】
＜中継端子５０＞
二対の中継端子５０は、全て、形状と寸法が同一である単一種類の部品である。中継端子５０は、所定形状に打ち抜いた金属板材に曲げ加工等を施して成形されたものである。図４，５に示すように、中継端子５０は、第１接続部５１Ｆと、前後方向において第１接続部５１Ｆとは反対側に配された第２接続部５１Ｓと、第１接続部５１Ｆと第２接続部５１Ｓを一体化させる結合部５６と、一対の第１連結片５７Ｆと、一対の第２連結片５７Ｓとを備えて構成されている。
【００２４】
第１接続部５１Ｆは、前後両端面が開放された第１角筒部５２Ｆと、第１角筒部５２Ｆ内に収容した第１弾性接触片５５Ｆとから構成されている。第１弾性接触片５５Ｆは、第１角筒部５２Ｆを構成する第１基板部５３Ｆの端縁から延出した板状部を、第１角筒部５２Ｆ内へ折り返して山形に屈曲変形させて形成されている。第１弾性接触片５５Ｆが弾性変形していない状態において、第１角筒部５２Ｆを構成する板部のうち第１基板部５３Ｆとは反対側の第１受け板部５４Ｆと、第１弾性接触片５５Ｆとの最小上下間隔は、第１端子部２２の厚さ（つまり、コイル３９を構成する金属線材の外径）より少し小さい寸法に設定されている。これにより、第１受け板部５４Ｆと第１弾性接触片５５Ｆとの間に第１端子部２２が進入したときには、第１接続部５１Ｆと第１端子部２２との間で適正な接触圧が確保され、また、第１受け板部５４Ｆと第１弾性接触片５５Ｆとの間にコイル３９が進入したときには、第１接続部５１Ｆとコイル３９との間で適正な接触圧が確保されるようになっている。
【００２５】
第２接続部５１Ｓは、前後両端面が開放された第２角筒部５２Ｓと、第２角筒部５２Ｓ内に収容した第２弾性接触片５５Ｓとから構成されている。第２弾性接触片５５Ｓは、第２角筒部５２Ｓを構成する第２基板部５３Ｓの端縁から延出した板状部を、第２角筒部５２Ｓ内へ折り返して山形に屈曲変形させて形成されている。第２弾性接触片５５Ｓが弾性変形していない状態において、第２角筒部５２Ｓを構成する板部のうち第２基板部５３Ｓとは反対側の第２受け板部５４Ｓと、第２弾性接触片５５Ｓとの最小上下間隔は、第２端子部２３の厚さ寸法（つまり、リード線４３Ｆの外径）より少し小さい寸法に設定されている。これにより、第２受け板部５４Ｓと第２弾性接触片５５Ｓとの間に第２端子部２３が進入したときには、第２接続部５１Ｓと第２端子部２３との間で適正な接触圧が確保され、また、第２受け板部５４Ｓと第２弾性接触片５５Ｓとの間にリード線４３Ｆが進入したときには、第２接続部５１Ｓとリード線４３Ｆとの間で適正な接触圧が確保されるようになっている。
【００２６】
一対の第１連結片５７Ｆは、第１接続部５１Ｆに設けられている。一対の第１連結片５７Ｆは、第１基板部５３Ｆと第１受け板部５４Ｆとを繋ぐ左右一対の第１側板部５８Ｆの前後方向における端縁から第１角筒部５２Ｆの外側面に沿うように折り返された形態である。一方の第１連結片５７Ｆは、一方の第１側板部５８Ｆの前端縁から折り返されて後方へ片持ち状に延出し、他方の第１連結片５７Ｆは、他方の第１側板部５８Ｆの後端縁から折り返されて前方へ片持ち状に延出した形態である。つまり、一対の第１連結片５７Ｆは、平面視において点対称な形態となっている。
【００２７】
一対の第２連結片５７Ｓは、第２接続部５１Ｓに設けられている。一対の第２連結片５７Ｓは、第２基板部５３Ｓと第２受け板部５４Ｓとを繋ぐ左右一対の第２側板部５８Ｓの前後方向における端縁から第２角筒部５２Ｓの外側面に沿うように折り返された形態である。一方の第２連結片５７Ｓは、一方の第２側板部５８Ｓの前端縁から折り返されて後方へ片持ち状に延出し、他方の第２連結片５７Ｓは、他方の第２側板部５８Ｓの後端縁から折り返されて前方へ片持ち状に延出た形態である。つまり、一対の第２連結片５７Ｓは、平面視において点対称な形態となっている。
【００２８】
右側の第１側板部５８Ｆに沿って配された第１連結片５７Ｆの延出方向と、右側の第２側板部５８Ｓに沿って配された第２連結片５７Ｓの延出方向は、互いに同じ向きである。左側の第１側板部５８Ｆに沿って配された第１連結片５７Ｆの延出方向と、左側の第２側板部５８Ｓに沿って配された第２連結片５７Ｓの延出方向は、互いに同じ向きである。また、連結片５７Ｆ，５７Ｓは、左右方向（つまり、側板部５８Ｆ，５８Ｓに対して接近離間する方向）へ弾性撓み可能となっている。そして、連結片５７Ｆ，５７Ｓが弾性撓みしていない自由状態において、側板部５８Ｆ，５８Ｓの外面と連結片５７Ｆ，５７Ｓとの間隔は、連結片５７Ｆ，５７Ｓの左右方向の厚さ寸法より小さい寸法に設定されている。
【００２９】
＜実施例１の作用及び効果＞
フィルタ素子内蔵型コネクタＣａの製造工程を説明する。まず、インサート成形により、ハウジング本体１１を成形すると同時に、ハウジング本体１１と左右一対の端子金具２０Ｌ，２０Ｒを一体化させる。一方、ハウジング１０の成型工程とは別に、フィルタユニット３０の組み立てが行われる。
【００３０】
フィルタユニット３０の組み立ては、まず、アース部材３１とスペーサ３７をインサート成形により一体化させる。次に、コイル３９とコア４０を挟持部３８によりスペーサ３７に取付け、コイル３９の両端部を、前方へ片持ち状に延出し、且つ左右両端子金具２０Ｌ，２０Ｒの第２端子部２３と対応するピッチで左右に並列させておく。また、左右両コンデンサ４１の後側のリード線４３Ｒを、アース部材３１の板状本体部３２に半田４４を用いて接続する。左右両コンデンサ４１の前側のリード線４３Ｆの先端部は、前方へ片持ち状に延出し、且つ左右両端子金具２０Ｌ，２０Ｒの第１端子部２２と対応するピッチで左右に並列させておく。以上により、フィルタユニット３０の組み立てが完了する。
【００３１】
また、二対の中継端子５０に関しては、２つの中継端子５０を左右に並べて連結することにより左右２つの端子ユニット５９Ｌ，５９Ｒを構成しておく。左右両端子ユニット５９Ｌ，５９Ｒは、左右対称な形態であるから、左側の端子ユニット５９Ｌについて説明し、右側の端子ユニット５９Ｒの説明は省略する。
【００３２】
左側の端子ユニット５９Ｌを構成する２つの中継端子５０のうち、第１端子部２２と対応する左側の中継端子５０は、第１接続部５１Ｆが前側に位置する向きとされる。また、第２端子部２３と対応する右側の中継端子５０は、第２接続部５１Ｓが前側に位置する向きとされている。そして、２つの中継端子５０は、左側の第１接続部５１Ｆの右外側面と第１連結片５７Ｆとの間に、右側の第２接続部５１Ｓの左外側面に沿った第２連結片５７Ｓを割り込ませるとともに、左側の第２接続部５１Ｓの右外側面と第２連結片５７Ｓとの間に、右側の第１接続部５１Ｆの左外側面に沿った第１連結片５７Ｆを割り込ませることにより、弾性的に連結されている。
【００３３】
左側の端子ユニット５９Ｌは、その前向きの第１接続部５１Ｆを左側の端子金具２０Ｌの第１端子部２２に外嵌するように接続させると同時に、前向きの第２接続部５１Ｓを左側の端子金具２０Ｌの第２端子部２３に外嵌するように接続させることにより、左側の端子金具２０Ｌに導通可能に接続されている。右側の端子ユニット５９Ｒも、左側の端子ユニット５９Ｌと同様にして、右側の端子金具２０Ｒに接続されている。
【００３４】
左右両端子ユニット５９Ｌ，５９Ｒを左右両端子金具２０Ｌ，２０Ｒに接続した後、フィルタユニット３０を、ハウジング１０の後方から箱部１２内に収容する。この収容工程では、左側の端子ユニット５９Ｌの後向きの第１接続部５１Ｆに対し、コイル３９の左側の端部を嵌入して導通可能に接続すると同時に、左側の端子ユニット５９Ｌの後向きの第２接続部５１Ｓに対し、左側のリード線４３Ｆの端部を嵌入して導通可能に接続する。さらに、右側の端子ユニット５９Ｒの後向きの第１接続部５１Ｆに対し、コイル３９の右側の端部を嵌入して導通可能に接続すると同時に、右側の端子ユニット５９Ｒの後向きの第２接続部５１Ｓに対し、右側のリード線４３Ｆの端部を嵌入して導通可能に接続する。
【００３５】
このようにして、二対の中継端子５０（一対の端子ユニット５９Ｌ，５９Ｒ）を介して左右両端子金具２０Ｌ，２０Ｒと、フィルタユニット３０のコイル３９及びコンデンサ４１が接続されると、π型のフィルタ回路が構成される。このフィルタ回路により、端子金具２０Ｌ，２０Ｒに接続された回路のノイズがコイル３９と２つのコンデンサ４１により効果的に除去されるようになっている。尚、端子金具２０Ｌ，２０Ｒとフィルタユニット３０の接続手順としては、中継端子５０を先にコイル３９とリード線４３Ｆに接続しておき、その後に、中継端子５０を端子金具２０Ｌ，２０Ｒに接続してもよい。
【００３６】
端子金具２０Ｌ，２０Ｒとフィルタユニット３０の接続が完了すると、前後方向においてフィルタユニット３０がハウジング１０に対して所定の取付け位置に到達することになる。そして、そのまま、フィルタユニット３０を下方へ少し変位させると、位置決め溝３５と位置決めリブ１７が嵌合し、ハウジング１０に対してフィルタユニット３０が前後方向への移動を規制された状態に位置決めされる。また、アース部材３１の屈曲部３３の左右両側面が箱部１２の後面の開口縁に当接することにより、フィルタユニット３０がハウジング１０に対して左右方向に位置決めされる。そして、最後にカバー１８をハウジング本体１１の箱部１２に組付ければ、フィルタ素子内蔵型コネクタＣａの組み立てが完了する。
【００３７】
本実施例１のフィルタ素子内蔵型コネクタＣａは、合成樹脂製のハウジング１０と、ハウジング１０に取り付けられた端子金具２０Ｌ，２０Ｒと、フィルタ素子として機能するコイル３９と、コイル３９よりも線径の細いリード線４３Ｆ，４３Ｒを有し、フィルタ素子として機能するコンデンサ４１と、コイル３９に接続可能な第１接続部５１Ｆとリード線４３Ｆに接続可能な第２接続部５１Ｓとが形成された中継端子５０を有する。また、端子金具２０Ｌ，２０Ｒには、第１接続部５１Ｆと接続可能な第１端子部２２と、第２接続部５１Ｓと接続可能な第２端子部２３とが形成されている。
【００３８】
この構成によれば、中継端子５０の第１接続部５１Ｆをコイル３９に接続し、その中継端子５０の第２接続部５１Ｓを端子金具２０Ｌ，２０Ｒの第２端子部２３に接続すると、コイル３９が端子金具２０Ｌ，２０Ｒに接続される。中継端子５０の第２接続部５１Ｓをリード線４３Ｆに接続し、その中継端子５０の第１接続部５１Ｆを端子金具２０Ｌ，２０Ｒの第１端子部２２に接続すると、リード線４３Ｆが端子金具２０Ｌ，２０Ｒに接続される。このように、中継端子５０は、端子金具２０Ｌ，２０Ｒとコイル３９を接続する機能と、端子金具２０Ｌ，２０Ｒとリード線４３Ｆを接続する機能とを兼ね備えているので、中継端子５０は単一種類で済んでいる。
【００３９】
また、２つの中継端子５０は、一方の中継端子５０の第１接続部５１Ｆと他方の中継端子５０の第２接続部５１Ｓが並列する形態で組み付け可能となっている。この構成によれば、第１接続部５１Ｆを第１端子部２２に接続する作業と、第２接続部５１Ｓを第２端子部２３に接続する作業を、ワンアクションで行うことができるので、作業性が良い。
【００４０】
また、中継端子５０の第１接続部５１Ｆは、第１端子部２２とコイル３９に対して弾性接触可能な第１弾性接触片５５Ｆを備えており、第２接続部５１Ｓは、第２端子部２３とリード線４３Ｆに対して弾性接触可能な第２弾性接触片５５Ｓを備えている。この構成によれば、端子部２２，２３の厚さ寸法や、コイル３９を構成する金属線材の外径寸法や、リード線４３Ｆの外径寸法の寸法公差が大きくても、端子金具２０Ｌ，２０Ｒとフィルタユニット３０（コイル３９及びコンデンサ４１）とを安定して接続させることができる。
【００４１】
＜実施例２＞
次に、本発明を具体化した実施例２を図６〜図８を参照して説明する。本実施例２のフィルタ素子内蔵型コネクタＣｂは、中継端子６０を上記実施例１の中継端子５０とは異なる構成としたものである。その他の構成については上記実施例１と同じであるため、同じ構成については、同一符号を付し、構造、作用及び効果の説明は省略する。
【００４２】
本実施例２の中継端子６０は、２つの第１接続部６１Ｆと２つの第２接続部６１Ｓとを一体に形成した形態である。中継端子は、１つの角筒部６２内に、２つの第１弾性接触片６３Ｆと、２つの第２弾性接触片６３Ｓを収容して構成されている。２つの第１弾性接触片６３Ｆは、角筒部６２における左前部位置と右後部位置とに対角状に並ぶように配されており、２つの第２弾性接触片６３Ｓは、角筒部６２の右前部位置と左後部位置に対角状に並ぶように配されている。
【００４３】
つまり、２つの第１接続部６１Ｆは、角筒部６２における左前部位置と右後部位置とに対角状に並ぶように配され、２つの第２接続部６１Ｓは、角筒部６２の右前部位置と左後部位置に対角状に並ぶように配されている。したがって、本実施例２の中継端子６０は、単一部品でありながら、実施例１の２つの中継端子５０を組み付けて構成された端子ユニット５９Ｌ，５９Ｒと同等の機能を備えている。
【００４４】
＜他の実施例＞
本発明は上記記述及び図面によって説明した実施例に限定されるものではなく、例えば次のような実施例も本発明の技術的範囲に含まれる。
（１）上記実施例１，２では、フィルタ素子としてのコンデンサを２つ設けてπ型のアース回路を構成したが、コンデンサは１つだけであってもよい。
（２）上記実施例１では、２つの中継端子を組付け状態に保持できるようにしたが、中継端子は、互いに組付け不能な形態であってもよい。
（３）上記実施例では、アース部材に形成した接地部を、前後方向においてフィルタ素子を挟んで端子金具とは反対の後方へ突出するように配したが、アース部材に接地部を形成せず、アース部材に設けたアース端子を端子金具と並ぶように配置し、このアース端子とアース部材を接続してもよい。
（４）上記実施例では、コンデンサのリード線が２本である場合について説明したが、本発明は、コンデンサが３本以上のリード線を有する場合にも適用することができる。
【符号の説明】
【００４５】
Ｃａ…フィルタ素子内蔵型コネクタ
１０…ハウジング
２０Ｌ，２０Ｒ…端子金具
２２…第１端子部
２３…第２端子部
３９…コイル
４１…コンデンサ
４３Ｆ…リード線
５０…中継端子
５１Ｆ…第１接続部
５１Ｓ…第２接続部
Ｃｂ…フィルタ素子内蔵型コネクタ
６０…中継端子
６１Ｆ…第１接続部
６１Ｓ…第２接続部
【図１】
2015088305.tif 000003
【図２】
2015088305.tif 000004
【図３】
2015088305.tif 000005
【図４】
2015088305.tif 000006
【図５】
2015088305.tif 000007
【図６】
2015088305.tif 000008
【図７】
2015088305.tif 000009
【図８】
2015088305.tif 000010